(57)【要約】【課題】保持されているフィルムセル２７ｃを見やすくしつつコンパクトな照明装置付き鑑賞用フレームを提供する。【解決手段】照明装置付き鑑賞用フレーム１０には、フィルムセル２７ｃと写真２７ａとが保持されている。照明装置３０は、底板部３１と、底板部３１の周縁部に沿って形成された周壁部３２と、光源ユニットと、駆動ユニットとを備えている。光源ユニットは、底板部３１及び周壁部３２によって形成された収容スペースに設けられ、フィルムセル２７ｃの背面に光を照射するためのものである。駆動ユニットは、上記収容スペースのうち写真２７ａの背面側のスペースに設けられ、光源ユニットを光らせるためのものである。【選択図】      図２
2017046967.tif 000002
【特許請求の範囲】
【請求項１】
光透過性を有するシート状の第１鑑賞対象物と、光透過性を有さないシート状の第２鑑賞対象物とを保持する保持部を有する鑑賞用フレームと、
前記鑑賞用フレームの背面側に取り付けられ、前記第１鑑賞対象物の背面から前記第１鑑賞対象物を照らす照明装置と、
を備え、
前記保持部には、照射された光を透過させる光透過領域が形成されており、
前記第１鑑賞対象物は、前記光透過領域に保持されており、
前記照明装置は、
底板部と、
前記底板部の周縁部に沿って形成された周壁部と、
前記周壁部の前記底板部とは反対側の端部を前記鑑賞用フレームの背面側に取り付けるフレーム取付部と、
前記底板部及び前記周壁部によって形成された収容スペースに設けられ、前記第１鑑賞対象物の背面に光を照射するための光源と、
前記収容スペースのうち、前記第２鑑賞対象物の背面側のスペースを含むスペースに設けられ、前記光源を光らせるための駆動部と、
を備えることを特徴とする照明装置付き鑑賞用フレーム。
【請求項２】
前記光源は、前記周壁部の内面に設けられており、
前記光透過領域は、前記保持部の外縁から離間した部分に形成されており、
前記保持部において前記光透過領域以外の領域は、照射された光を透過させない非透過領域とされており、
前記駆動部は、前記収容スペースのうち、前記非透過領域において前記第２鑑賞対象物を含む領域の背面側のスペースに設けられており、
前記鑑賞用フレームの正面視において、前記保持部の外縁側の前記非透過領域に前記光源が隠れるように前記周壁部が形成されていることを特徴とする請求項１に記載の照明装置付き鑑賞用フレーム。
【請求項３】
前記第２鑑賞対象物は、前記保持部において前記底板部の中央部と対向する領域に保持されており、
前記第１鑑賞対象物は、前記保持部の正面視で前記第２鑑賞対象物の外側に並ぶように複数保持されており、
帯状の可撓性基板、及び前記基板上に所定間隔で配置された複数の前記光源を有する長尺状の光源ユニットを備え、
前記光源ユニットは、前記駆動部の側壁面、又は枠形状をなしてかつ前記駆動部を前記底板部に取り付ける駆動取付部の側壁面に、前記側壁面の周囲を取り囲むように設けられていることを特徴とする請求項１に記載の照明装置付き鑑賞用フレーム。
【請求項４】
前記周壁部は、前記鑑賞用フレームの正面視において、前記鑑賞用フレームの内側に隠れており、
前記周壁部は、光透過性を有していることを特徴とする請求項３に記載の照明装置付き鑑賞用フレーム。
【請求項５】
前記底板部は、光透過性を有さないように形成されていることを特徴とする請求項４に記載の照明装置付き鑑賞用フレーム。
【請求項６】
前記保持部には、その外縁から前記第２鑑賞対象物が保持されている領域まで連続する前記非透過領域が形成されており、
前記収容スペースのうち、前記保持部においてその外縁から前記第２鑑賞対象物が保持されている領域まで連続する前記非透過領域の背面側のスペースと、前記第２鑑賞対象物の背面側のスペースとに、前記駆動部と前記光源とを電気的に接続する電気経路が設けられていることを特徴とする請求項２〜５のいずれか１項に記載の照明装置付き鑑賞用フレーム。
【請求項７】
前記保持部は、
透明かつ板状の正面部材と、
第１開口、及び第２開口のそれぞれが形成されてかつ光透過性を有さない板状の中間部材と、
光透過性を有する板状の背面部材と、
前記鑑賞用フレームの正面側から前記正面部材、前記中間部材及び前記背面部材の順で重ね合わされた状態の前記正面部材、前記中間部材及び前記背面部材のそれぞれを収容する収容凹部が背面側に形成され、前記正面部材、前記中間部材及び前記背面部材が前記収容凹部に収容された状態において前記正面部材、前記中間部材及び前記背面部材のそれぞれの外縁を囲む枠状をなす枠部材とを有しており、
前記鑑賞用フレームの正面視において、前記枠部材よりも内側の領域のうち、前記第１開口が形成された領域が前記光透過領域とされており、前記内側の領域のうち、前記第１開口が形成された領域以外の領域が照射された光を透過させない非透過領域とされており、
前記第１鑑賞対象物が前記第１開口から見えてかつ前記第２鑑賞対象物が前記第２開口から見える形で、前記第１鑑賞対象物及び前記第２鑑賞対象物のそれぞれが前記中間部材及び前記背面部材の間に挟まれることにより、前記第１鑑賞対象物及び前記第２鑑賞対象物のそれぞれが前記中間部材及び前記背面部材に保持されていることを特徴とする請求項２〜６のいずれか１項に記載の照明装置付き鑑賞用フレーム。
【請求項８】
前記収容凹部の深さ寸法は、前記正面部材、前記中間部材及び前記背面部材のそれぞれの厚さ寸法の合計値よりも大きく設定されており、
前記周壁部の前記底板部と反対側の端部が前記収容凹部に収容されるように前記周壁部が形成されていることを特徴とする請求項７に記載の照明装置付き鑑賞用フレーム。
【請求項９】
前記枠部材及び前記周壁部のそれぞれは、矩形枠状をなしており、
前記枠部材において互いに対向する一対の枠部の一方を第１枠部とし、他方を第２枠部とし、
前記周壁部において互いに対向する一対の壁部の一方を第１壁部とし、他方を第２壁部とし、
前記第１壁部には、該第１壁部を前記第１枠部に取り付ける前記フレーム取付部としての蝶番が設けられており、
前記第２壁部には、その外面から外側に突出してかつ前記第２枠部が当接する当接部が形成されており、
前記第２枠部が前記当接部に当接した状態において、前記周壁部の前記底板部とは反対側の端部が前記背面部材に当接しないことを特徴とする請求項７又は８に記載の照明装置付き鑑賞用フレーム。
【請求項１０】
前記駆動部は、前記光源の電源となるバッテリを有することを特徴とする請求項１〜９のいずれか１項に記載の照明装置付き鑑賞用フレーム。
【発明の詳細な説明】
【技術分野】
【０００１】
本発明は、シート状の鑑賞対象物を照らす照明装置付き鑑賞用フレームに関する。
【背景技術】
【０００２】
従来、写真や絵などを保持する鑑賞用フレームが知られている（例えば、特許文献１参照）。
【先行技術文献】
【特許文献】
【０００３】
【特許文献１】特開２０１１−１９４０３８号公報
【発明の概要】
【発明が解決しようとする課題】
【０００４】
鑑賞用フレームとしては、映画のフィルムセル等、光透過性を有するシート状の第１鑑賞対象物と、映画の１コマの写真等、光透過性を有さないシート状の第２鑑賞対象物とを保持する保持部を備えるものもある。保持部には、照射された光を透過させる光透過領域が形成されており、光透過領域には、第１鑑賞対象物が保持されている。ここで、光透過性を有する第１鑑賞対象物は、その背面から光をあてないと見えづらい。このため、鑑賞用フレームを壁に掛けたり、鑑賞用フレームをスタンド等で立てたりするだけでは、鑑賞用フレームの背面部分が壁等に遮られて第１鑑賞対象物の背面に光が十分あたらず、第１鑑賞対象物が見えづらい。
【０００５】
そこで、第１鑑賞対象物の背面に光を照射する光源を備える照明装置を鑑賞用フレームに取り付けることも考えられる。しかしながら、照明装置は、光源の電源となるバッテリや、光源を光らせるための回路等を有する。このため、照明装置付き鑑賞用フレームの体格が大きくなるといった問題がある。
【０００６】
本発明は、上記問題を解決するためになされたものであり、第１鑑賞対象物を見やすくしつつコンパクトな照明装置付き鑑賞用フレームの提供を主たる目的とするものである。
【課題を解決するための手段】
【０００７】
上記目的を達成するために、第１の発明は、光透過性を有するシート状の第１鑑賞対象物と、光透過性を有さないシート状の第２鑑賞対象物とを保持する保持部を有する鑑賞用フレームと、前記鑑賞用フレームの背面側に取り付けられ、前記第１鑑賞対象物の背面から前記第１鑑賞対象物を照らす照明装置と、を備え、前記保持部には、照射された光を透過させる光透過領域が形成されており、前記第１鑑賞対象物は、前記光透過領域に保持されており、前記照明装置は、底板部と、前記底板部の周縁部に沿って形成された周壁部と、前記周壁部の前記底板部とは反対側の端部を前記鑑賞用フレームの背面側に取り付けるフレーム取付部と、前記底板部及び前記周壁部によって形成された収容スペースに設けられ、前記第１鑑賞対象物の背面に光を照射するための光源と、前記収容スペースのうち、前記第２鑑賞対象物の背面側のスペースを含むスペースに設けられ、前記光源を光らせるための駆動部と、を備えることを特徴とする。
【０００８】
上記発明では、底板部及び周壁部によって形成された収容スペースに光源が設けられている。このため、光透過領域に保持されている第１鑑賞対象物の背面に光源の光をあてることができる。これにより、第１鑑賞対象物を見やすくすることができる。
【０００９】
ここで、収容スペースのうち第２鑑賞対象物の背面側のスペースである裏側スペースは、鑑賞用フレームの正面視において見えないスペースである。そこで上記発明では、光源を光らせるための駆動部が、収容スペースのうち、裏側スペースを含むスペースに設けられている。このため、裏側スペースを有効利用でき、駆動部を設けるためのスペースを別途確保する必要がない。したがって、照明装置をコンパクトにでき、ひいては照明装置付き鑑賞用フレームをコンパクトにできる。
【００１０】
このように上記発明によれば、鑑賞用フレームに保持されている第１鑑賞対象物を見やすくしつつ、照明装置付き鑑賞用フレームをコンパクトにすることができる。
【００１１】
第２の発明は、前記光源は、前記周壁部の内面に設けられており、前記光透過領域は、前記保持部の外縁から離間した部分に形成されており、前記保持部において前記光透過領域以外の領域は、照射された光を透過させない非透過領域とされており、前記駆動部は、前記収容スペースのうち、前記非透過領域において前記第２鑑賞対象物を含む領域の背面側のスペースに設けられており、前記鑑賞用フレームの正面視において、前記保持部の外縁側の前記非透過領域に前記光源が隠れるように前記周壁部が形成されていることを特徴とする。
【００１２】
底板部のうち光透過領域に対向する部分に光源が設けられていると、第１鑑賞対象物の背面にあたる光が強くなりすぎる。その結果、第１鑑賞対象物をきれいに見せることができなくなる。
【００１３】
そこで上記発明では、光源を周壁部の内面に設けつつ、鑑賞用フレームの正面視において、保持部の外縁側の非透過領域に光源が隠れるように周壁部が形成されている。このため、保持部の外縁側の非透過領域を利用して、第１鑑賞対象物の背面にあたる光が強くなりすぎることを防止でき、第１鑑賞対象物をきれいに見せることができる。
【００１４】
第３の発明は、前記第２鑑賞対象物は、前記保持部において前記底板部の中央部と対向する領域に保持されており、前記第１鑑賞対象物は、前記保持部の正面視で前記第２鑑賞対象物の外側に並ぶように複数保持されており、帯状の可撓性基板、及び前記基板上に所定間隔で配置された複数の前記光源を有する長尺状の光源ユニットを備え、前記光源ユニットは、前記駆動部の側壁面、又は枠形状をなしてかつ前記駆動部を前記底板部に取り付ける駆動取付部の側壁面に、前記側壁面の周囲を取り囲むように設けられていることを特徴とする。
【００１５】
上記発明は、帯状の可撓性基板と、可撓性基板上に所定間隔で配置された複数の光源とを有する長尺状の光源ユニットを備えている。光源ユニットは、駆動部の側壁面、又は枠形状をなしてかつ駆動部を底板部に取り付ける駆動取付部の側壁面に、上記側壁面の周囲を取り囲むように設けられている。上記発明によれば、周壁部の内面に沿って光源ユニットを設ける構成と比較して、光源ユニットの長さを短くしつつ、保持部において第２鑑賞対象物の外側に並ぶように複数保持された第１鑑賞対象物の背面に光源の光をあてることができる。
【００１６】
第４の発明は、前記周壁部は、前記鑑賞用フレームの正面視において、前記鑑賞用フレームの内側に隠れており、前記周壁部は、光透過性を有していることを特徴とする。
【００１７】
上記発明では、周壁部が光透過性を有するように形成されている。このため、照明装置付き鑑賞用フレームを部屋の壁面に掛けることにより、周壁部を透過した光源の光で部屋の壁面を照らすことができる。ここでは、鑑賞用フレームの正面視において、周壁部が鑑賞用フレームの内側に隠れているため、周壁部を透過した光源の光によって間接照明効果を得ることができる。
【００１８】
なお上記発明において、収容スペース内に配置された駆動部等の部材が透けないように周壁部を形成することもできる。この場合、収容スペース内に配置された部材が外部から透けない。このため、照明装置付き鑑賞用フレームの意匠性を高めることができる。
【００１９】
第５の発明は、前記底板部は、光透過性を有さないように形成されていることを特徴とする。
【００２０】
上記発明では、底板部が光透過性を有さないように形成されている。このため、照明装置付き鑑賞用フレームを部屋の壁面に掛けた状態において、光源の光が底板部側から鑑賞用フレームの外部に漏れるのを回避できる。これにより、第１鑑賞対象物の背面に光を十分あてて第１鑑賞対象物をより見やすくしたり、間接照明効果を大きくしたりすることができる。
【００２１】
第６の発明は、前記保持部には、その外縁から前記第２鑑賞対象物が保持されている領域まで連続する前記非透過領域が形成されており、前記収容スペースのうち、前記保持部においてその外縁から前記第２鑑賞対象物が保持されている領域まで連続する前記非透過領域の背面側のスペースと、前記第２鑑賞対象物の背面側のスペースとに、前記駆動部と前記光源とを電気的に接続する電気経路が設けられていることを特徴とする。
【００２２】
上記発明では、保持部にその外縁から第２鑑賞対象物が保持されている領域まで連続する非透過領域が形成されている。ここで、収容スペースのうち、保持部においてその外縁から第２鑑賞対象物が保持されている領域まで連続する非透過領域の背面側のスペースと、第２鑑賞対象物の背面側のスペースとは、鑑賞フレームの正面視において見えないスペースである。
【００２３】
そこで上記発明では、収容スペースのうち、保持部においてその外縁から第２鑑賞対象物が保持されている領域まで連続する非透過領域の背面側のスペースと、第２鑑賞対象物の背面側のスペースとに、駆動部と光源とを接続する電気経路が設けられている。このため、鑑賞用フレームの正面視において、電気経路が見えるのを回避でき、鑑賞用フレームの意匠性が損なわれるのを回避できる。
【００２４】
第７の発明は、前記保持部は、透明かつ板状の正面部材と、第１開口、及び第２開口のそれぞれが形成されてかつ光透過性を有さない板状の中間部材と、光透過性を有する板状の背面部材と、前記鑑賞用フレームの正面側から前記正面部材、前記中間部材及び前記背面部材の順で重ね合わされた状態の前記正面部材、前記中間部材及び前記背面部材のそれぞれを収容する収容凹部が背面側に形成され、前記正面部材、前記中間部材及び前記背面部材が前記収容凹部に収容された状態において前記正面部材、前記中間部材及び前記背面部材のそれぞれの外縁を囲む枠状をなす枠部材とを有しており、前記鑑賞用フレームの正面視において、前記枠部材よりも内側の領域のうち、前記第１開口が形成された領域が前記光透過領域とされており、前記内側の領域のうち、前記第１開口が形成された領域以外の領域が照射された光を透過させない非透過領域とされており、前記第１鑑賞対象物が前記第１開口から見えてかつ前記第２鑑賞対象物が前記第２開口から見える形で、前記第１鑑賞対象物及び前記第２鑑賞対象物のそれぞれが前記中間部材及び前記背面部材の間に挟まれることにより、前記第１鑑賞対象物及び前記第２鑑賞対象物のそれぞれが前記中間部材及び前記背面部材に保持されていることを特徴とする。
【００２５】
上記発明によれば、第１鑑賞対象物を光透過領域に保持し、第２鑑賞対象物を非透過領域に保持する上で、好適な構成を実現することができる。
【００２６】
第８の発明は、前記収容凹部の深さ寸法は、前記正面部材、前記中間部材及び前記背面部材のそれぞれの厚さ寸法の合計値よりも大きく設定されており、前記周壁部の前記底板部と反対側の端部が前記収容凹部に収容されるように前記周壁部が形成されていることを特徴とする。
【００２７】
上記発明では、収容凹部の深さ寸法が、正面部材、中間部材及び背面部材のそれぞれの厚さ寸法の合計値よりも大きく設定されている。この設定により、収容凹部において、周壁部の底板部とは反対側の端部を収容できるスペースを確保できる。そして上記発明では、周壁部の底板部と反対側の端部が収容凹部に収容されるように周壁部が形成されている。このため、収容スペースに設けられた光源からの光が、周壁部の底板部とは反対側の先端と、枠部材の背面側との間の隙間から外部に漏れるのを抑制できる。これにより、第１鑑賞対象物の背面に光を十分あてることができ、第１鑑賞対象物をより見やすくすることができる。
【００２８】
第９の発明は、前記枠部材及び前記周壁部のそれぞれは、矩形枠状をなしており、前記枠部材において互いに対向する一対の枠部の一方を第１枠部とし、他方を第２枠部とし、前記周壁部において互いに対向する一対の壁部の一方を第１壁部とし、他方を第２壁部とし、前記第１壁部には、該第１壁部を前記第１枠部に取り付ける前記フレーム取付部としての蝶番が設けられており、前記第２壁部には、その外面から外側に突出してかつ前記第２枠部が当接する当接部が形成されており、前記第２枠部が前記当接部に当接した状態において、前記周壁部の前記底板部とは反対側の端部が前記背面部材に当接しないことを特徴とする。
【００２９】
上記発明では、周壁部を構成する第１壁部に、枠部材を構成する第１枠部に取り付ける蝶番が設けられている。このため、蝶番の回転軸を支点として照明装置に対して鑑賞用フレームを回動させることができる。これにより、例えば駆動部のメンテナンスを行うことができる。
【００３０】
ここで、周壁部の底板部とは反対側の端部が背面部材に当接すると、周壁部から背面部材に力が作用し、背面部材が変形するおそれがある。そこで上記発明では、周壁部を構成する第２壁部に、その外面から外側に突出してかつ枠部材を構成する第２枠部が当接する当接部が形成されている。そして、第２枠部が当接部に当接した状態において、周壁部の底板部とは反対側の端部が背面部材に当接しないようにしている。これにより、背面部材に力が加わることを防止でき、背面部材の変形を防止することができる。
【００３１】
第１０の発明は、前記駆動部は、前記光源の電源となるバッテリを有することを特徴とする。
【００３２】
上記発明によれば、上記裏側スペースをバッテリの設置スペースとして確保することができる。このため、バッテリの容量を十分確保することができる。
【図面の簡単な説明】
【００３３】
【図１】第１実施形態に係る照明装置付き鑑賞用フレームの斜視図。
【図２】照明装置付き鑑賞用フレームの分解斜視図。
【図３】枠部材の背面図。
【図４】照明装置付き鑑賞用フレームの正面図。
【図５】図４のＡ−Ａ線断面図。
【図６】図５のＢ−Ｂ線断面図。
【図７】第２実施形態に係る照明装置付き鑑賞用フレームの断面図。
【図８】図７のＣ−Ｃ線断面図。
【図９】第３実施形態に係る照明装置付き鑑賞用フレームの正面図。
【図１０】照明装置付き鑑賞用フレームの断面図。
【図１１】第４実施形態に係る枠部材の背面図。
【図１２】照明装置付き鑑賞用フレームの断面図。
【図１３】図１２のＤ−Ｄ線断面図。
【図１４】筐体の斜視図。
【図１５】水平面に立てかけた状態の照明装置付き鑑賞用フレームを示す図。
【図１６】スイッチ用配線を筐体外部に出した状態を示す図。
【図１７】第５実施形態に係る照明装置付き鑑賞用フレームの正面図。
【図１８】正面部材、中間部材、背面部材及び光拡散部材が取り付けられた状態の枠部材の背面図。
【図１９】照明装置付き鑑賞用フレームの断面図。
【発明を実施するための形態】
【００３４】
（第１実施形態）
以下に、本発明を照明装置付き鑑賞用フレームとして具体化した第１実施形態について、図１〜図６を参照しつつ説明する。本実施形態において、鑑賞用フレーム２０には、映画の３５ｍｍフィルムセル２７ｃ、映画の１コマの写真２７ａ、及び映画のタイトルが表記された台紙２７ｂのそれぞれが保持されている。本実施形態において、照明装置付き鑑賞用フレーム１０は、壁に掛けられるものを想定している。
【００３５】
まず、照明装置付き鑑賞用フレーム１０のうち、鑑賞用フレーム２０について説明する。
【００３６】
鑑賞用フレーム２０は、正面部材２１、中間部材２２、背面部材２３、光拡散部材２４及び枠部材２５を備えている。
【００３７】
正面部材２１は、光透過性を有する無色透明な板状部材であり、板面の正面視において矩形形状（具体的には長方形状）をなしている。本実施形態では、正面部材２１として、合成樹脂（例えばアクリル樹脂）で形成されたものを用いている。
【００３８】
背面部材２３は、光透過性を有する無色透明な板状部材であり、板面の正面視において矩形形状（具体的には長方形状）をなしている。本実施形態では、背面部材２３として、合成樹脂（例えばアクリル樹脂）で形成されたものを用いている。本実施形態では、背面部材２３と正面部材２１とは同一材質、同一形状のものを用いている。
【００３９】
中間部材２２は、光透過性を有さない板状部材であり、板面の正面視において矩形形状（具体的には長方形状）をなしている。本実施形態では、中間部材２２として、板面が黒色に着色されたものを用いている。また本実施形態では、中間部材２２として、その板面の正面視における外形形状が、正面部材２１及び背面部材２３のそれぞれの外形形状と同じものを用いている。中間部材２２としては、例えば厚紙で形成されたものを用いることができる。
【００４０】
中間部材２２には、その外縁から離間した部分に複数の開口が形成されている。詳しくは、中間部材２２の中央部には、第２開口としての写真用開口２２ａが形成されている。中間部材２２においてその外縁のうち下側の長辺と写真用開口２２ａとの間には、第２開口としてのタイトル用開口２２ｂが形成されている。本実施形態では、写真用開口２２ａとタイトル用開口２２ｂとがそれぞれ１個ずつ形成されている。中間部材２２において写真用開口２２ａよりも外側には、中間部材２２の外縁のうち２つの短辺と上側の長辺とのそれぞれに沿って、第１開口としての複数（図中、１１個を例示）のセル用開口２２ｃが形成されている。セル用開口２２ｃは、中間部材２２においてその外縁と写真用開口２２ａとの間の領域に並ぶように複数形成されている。なお本実施形態では、各開口２２ａ，２２ｂ，２２ｃのうち、写真用開口２２ａの開口面積が最も大きくされている。
【００４１】
光拡散部材２４は、光拡散機能及び光透過性を有する板状部材であり、板面の正面視において矩形形状（具体的には長方形状）をなしている。本実施形態では、光拡散部材２４として、合成樹脂（例えばアクリル樹脂）で形成された乳白色のものを用いている。光拡散部材２４は、中間部材２２と重ね合わされた状態において、複数のセル用開口２２ｃの全てを塞ぐことができる形状とされており、より具体的には、写真用開口２２ａ、タイトル用開口２２ｂ及び複数のセル用開口２２ｃの全てを塞ぐことができる形状とされている。
【００４２】
枠部材２５は、矩形枠状（具体的には長方形枠状）をなしており、互いに対向する上枠部２５ａ及び下枠部２５ｂと、互いに対向する右枠部２５ｃ及び左枠部２５ｄとを有している。枠部材２５の背面側には、図３及び図５に示すように、正面部材２１、中間部材２２、背面部材２３及び光拡散部材２４を収容する収容凹部２６が形成されている。収容凹部２６の深さ寸法Ｌは、正面部材２１、中間部材２２、背面部材２３及び光拡散部材２４のそれぞれの厚さ寸法の合計値よりも大きく設定されている（図５参照）。
【００４３】
収容凹部２６において、鑑賞用フレーム２０の正面側から正面部材２１、中間部材２２、背面部材２３及び光拡散部材２４の順にこれら部材２１〜２４が重ねられている。そして、正面部材２１、中間部材２２及び背面部材２３は、収容凹部２６に収容された状態で枠部材２５に取り付けられている。光拡散部材２４は、その板面が背面部材２３の板面に、光の透過を妨げないような粘着テープや接着剤等によって取り付けられている。
【００４４】
中間部材２２と背面部材２３との間には、映画の写真２７ａ、映画のタイトルが表記された台紙２７ｂ、及び映画の複数のフィルムセル２７ｃのそれぞれが挟まれている。これにより、写真２７ａ、台紙２７ｂ及び複数のフィルムセル２７ｃが中間部材２２と背面部材２３とに保持されている。各フィルムセル２７ｃは、照射された光を透過させる光透過性を有し、シート状かつ矩形形状をなしている。写真２７ａ及び台紙２７ｂのそれぞれは、照射された光を透過させない光非透過性を有し、シート状かつ矩形形状をなしている。
【００４５】
写真２７ａ等の保持手法について詳しく説明すると、中間部材２２と背面部材２３との間には、写真用開口２２ａから写真２７ａが見える形で写真２７ａが挟まれている。また、中間部材２２と背面部材２３との間には、タイトル用開口２２ｂから台紙２７ｂが見える形で台紙２７ｂが挟まれている。さらに、中間部材２２と背面部材２３との間には、各セル用開口２２ｃから各フィルムセル２７ｃが見える形で各フィルムセル２７ｃが挟まれている。
【００４６】
したがって、鑑賞用フレーム２０の正面視において、枠部材２５よりも内側の領域のうち、セル用開口２２ｃが形成された領域が光透過領域、それ以外の領域が非透過領域とされている。
【００４７】
なお、枠部材２５を構成する上枠部２５ａの背面側には、図３に示すように、照明装置付き鑑賞用フレーム１０を壁にかけるための壁掛部材２８が設けられている。
【００４８】
続いて、照明装置付き鑑賞用フレーム１０のうち、鑑賞用フレーム２０の背面側に取り付けられる照明装置３０について説明する。
【００４９】
照明装置３０は、筐体を備えている。筐体は、底板部３１及び周壁部３２を有している。底板部３１は、板状をなしており、その板面の正面視において矩形形状（具体的には長方形状）をなしている。周壁部３２は、底板部３１の外縁に沿って１周形成されており、互いに対向する上壁部３２ａ及び下壁部３２ｂと、互いに対向する右壁部３２ｃ及び左壁部３２ｄとを有している。本実施形態において、上壁部３２ａ、下壁部３２ｂ、右壁部３２ｃ及び左壁部３２ｄのそれぞれの壁高さは同一である。底板部３１及び周壁部３２により、筐体内に収容スペースＳが形成されている。本実施形態において、底板部３１及び周壁部３２は、光透過性を有さない材料にて形成されており、具体的には黒色の合成樹脂（例えばアクリル樹脂）にて一体成型されたものを用いている。
【００５０】
上壁部３２ａの外面側には、図５及び図６に示すように、鑑賞用フレーム２０を照明装置３０に取り付けるフレーム取付部としての蝶番３６が複数（図６では２個を例示）設けられている。本実施形態では、蝶番３６として平型蝶番を用いている。蝶番３６は、第１蝶番片３６ａ、第２蝶番片３６ｂ、及び第１蝶番片３６ａと第２蝶番片３６ｂとをつなぐ回転軸３６ｃを有している。第１蝶番片３６ａは、ネジ等の固定手段によって上壁部３２ａの外面側に固定されており、第２蝶番片３６ｂは、ネジ等の固定手段によって上枠部２５ａの背面側に固定されている。これにより、鑑賞用フレーム２０は、回転軸３６ｃを支点として照明装置３０に対して回動可能に構成されている。
【００５１】
底板部３１は、その面積が収容凹部２６に収容可能な面積とされており、具体的には背面部材２３の面積よりも小さくされている。これは、底板部３１の外縁に沿って形成された周壁部３２の底板部３１とは反対側の先端部を、収容凹部２６に収容するためである。
【００５２】
周壁部３２のうち下壁部３２ｂには、その外面から外側に向かって突出し、下枠部２５ｂの背面側が当接する当接部３７が形成されている。当接部３７は、下壁部３２ｂのうち、壁高さ方向において先端寄りの中間に形成されている。当接部３７は、右壁部３２ｃ及び左壁部３２ｄの対向方向に延びるように形成されている。本実施形態において、当接部３７は、合成樹脂（例えばアクリル樹脂）にて構成されている。
【００５３】
図５に示すように、下枠部２５ｂの背面側が当接部３７に当接した状態において、周壁部３２の底板部３１とは反対側の先端部が、枠部材２５の収容凹部２６に収容されるようになっている。これにより、照明装置３０は、照明装置付き鑑賞用フレーム１０の正面視において、鑑賞用フレーム２０の背面側に隠れて見えない構成とされている。また、収容スペースＳに設けられる後述する光源ユニット３３からの光が、周壁部３２の底板部３１とは反対側の先端と、枠部材２５の背面側との間の隙間から外部に漏れるのを抑制できる。
【００５４】
本実施形態では、図５に示すように、周壁部３２の壁高さ方向において、下壁部３２ｂの底板部３１とは反対側の先端から当接部３７の下枠部２５ｂ受け面までの距離寸法が、枠部材２５の背面側から背面部材２３の背面側までの距離寸法よりも小さくされている。また、周壁部３２の壁高さ方向において、上壁部３２ａの底板部３１とは反対側の先端から第２蝶番片３６ｂまでの距離寸法が、枠部材２５の背面側から背面部材２３の背面側までの距離寸法よりも小さくされている。このため、下枠部２５ｂの背面側が当接部３７（具体的には、当接部３７の受け面）に当接した状態において、周壁部３２の底板部３１とは反対側の先端が、背面部材２３の背面側に当接しないようになっている。これにより、周壁部３２の先端から背面部材２３に力が作用することを防止でき、背面部材２３等の変形を防止できる。
【００５５】
本実施形態では、光拡散部材２４として、その板面の正面視における外形形状が、周壁部３２の開口形状よりも小さいものを用いている。このため、光拡散部材２４の４つの外縁のそれぞれと枠部材２５の内面とが離間して空間が形成されている。本実施形態では、周壁部３２の壁高さ方向において、周壁部３２の底板部３１とは反対側の先端が、光拡散部材２４の背面側よりも背面部材２３側に位置するようになっている。このため、下枠部２５ｂの背面側が当接部３７に当接した状態において、収容スペースＳ内に設けられた光源ユニット３３からの光が、周壁部３２と光拡散部材２４との隙間を介して外に漏れるのを抑制している。これにより、光源ユニット３３からの光を光拡散部材２４に十分導くことができる。
【００５６】
照明装置３０を構成する筐体には、光源ユニット３３が内蔵されている。なお、図２では、光源ユニット３３の図示を省略している。また、図６には、照明装置付き鑑賞用フレーム１０の正面視において、写真用開口２２ａ、タイトル用開口２２ｂ及びセル用開口２２ｃのそれぞれを底板部３１に投影したものを２点鎖線にて示している。
【００５７】
光源ユニット３３は、周壁部３２の内面に設けられている。光源ユニット３３は、帯状の可撓性基板と、この基板上に所定間隔（等間隔）で配置された複数の光源３３ａと、隣り合う光源３３ａ同士を電気的に接続する可撓性の配線パターンとを有している。光源ユニット３３は、可撓性基板、複数の光源３３ａ及び配線パターンが、電気的絶縁性を有する可撓性の樹脂層で覆われることにより構成されている。このため、光源ユニット３３において、光源３３ａ間の部分には可撓性がある。したがって、光源ユニット３３を、周壁部３２の内周に沿って折り曲げることができる。本実施形態では、光源３３ａとして、白色ＬＥＤを用いている。
【００５８】
光源ユニット３３は、下壁部３２ｂ、右壁部３２ｃ、上壁部３２ａ及び左壁部３２ｄのそれぞれの内面に連続して設けられている。光源ユニット３３は、両面テープ等によって上記内面に取り付けられている。下壁部３２ｂ、右壁部３２ｃ、上壁部３２ａ及び左壁部３２ｄのそれぞれには、光源３３ａが複数設けられている。本実施形態において、光源ユニット３３の長さ方向両端部は、下壁部３２ｂに配置されている。上記両端部のそれぞれは、所定間隔をあけた状態で配置されている。光源ユニット３３は、周壁部３２の内面において周壁部３２の壁高さ方向の底板部３１寄りの中間部に設けられている。具体的には、光源ユニット３３は、その幅方向端部を底板部３１に当接させた状態で周壁部３２の内面に設けられている。本実施形態において、光源ユニット３３は、対向する周壁部３２の内面に向かう方向を光源３３ａからの光照射方向とするように設けられている。
【００５９】
光源ユニット３３は、照明装置付き鑑賞用フレーム１０の正面視において、中間部材２２の外縁付近の非透過領域に隠れるように設けられている。
【００６０】
筐体には、さらに駆動ユニット３４が内蔵されている。なお、図２では、駆動ユニット３４の図示を省略している。駆動ユニット３４は、光源３３ａの電源となるバッテリと、光源３３ａを点灯させるための各種回路とを有している。本実施形態において、駆動ユニット３４は、扁平な直方体形状をなしている。駆動ユニット３４は、照明装置付き鑑賞用フレーム１０の正面視において、底板部３１のうち写真用開口２２ａを投影した領域に取り付けられている。本実施形態において、駆動ユニット３４は、フック部３８に引っ掛けられることにより底板部３１に取り付けられている。
【００６１】
駆動ユニット３４のバッテリと光源ユニット３３の長さ方向の端部とは、電源配線３９によって電気的に接続されている。電源配線３９は、バッテリから光源ユニット３３の光源３３ａに電力を供給するための電気経路であり、バッテリ及び光源ユニット３３のそれぞれに着脱可能とされている。電源配線３９は、底板部３１において、写真用開口２２ａ及びタイトル用開口２２ｂを含む非透過領域の背面領域に設けられている。
【００６２】
なお、上壁部３２ａには、図５及び図６に示すように、収容スペースＳ内の熱を収容スペースＳ外に放出するための放熱孔３５が複数（図６では２個を例示）形成されている。
【００６３】
下壁部３２ｂにおいて当接部３７よりも底板部３１側には、電源スイッチ４０が設けられている。電源スイッチ４０と駆動ユニット３４とは、スイッチ用配線４１によって電気的に接続されている。スイッチ用配線４１は、駆動ユニット３４に着脱可能とされている。スイッチ用配線４１は、底板部３１において、写真用開口２２ａを含む非透過領域の背面領域に設けられている。スイッチ用配線４１は、下壁部３２ｂのうち、光源ユニット３３の長さ方向両端部の間を貫通して電源スイッチ４０に接続されている。
【００６４】
底板部３１の内面には、図５に示すように、光源３３ａの光を反射させる光反射層４２が設けられている。本実施形態では、光反射層４２として、シート状のミラーが底板部３１の全面に張り付けられている。光反射層４２は、光源３３ａから照射された光をフィルムセル２７ｃ側に反射させ、フィルムセル２７ｃを見やすくするために設けられている。なお、図６に示す光反射層４２については、便宜上、厚さ寸法を大きめに記載している。
【００６５】
上述した構成において、電源スイッチ４０がオンされる。これにより、駆動ユニット３４のバッテリから光源ユニット３３を構成する複数の光源３３ａに電力が供給され、各光源３３ａが点灯する。各光源３３ａから照射された光であって、光拡散部材２４とは反対側に拡散した光は光反射層４２によって反射される。このため、光源３３ａより照射された光が効率よく光拡散部材２４に集められる。そして、光拡散部材２４を介して導かれた光は、各フィルムセル２７ｃにあてられる。これにより、各フィルムセル２７ｃを見やすくすることができる。
【００６６】
以上説明した本実施形態によれば、以下の効果を奏することができる。
【００６７】
上枠部２５ａ、左枠部２５ｄ及び右枠部２５ｃのそれぞれに沿うように鑑賞用フレーム２０にフィルムセル２７ｃを保持した。そして、上壁部３２ａ、左壁部３２ｄ、右壁部３２ｃ及び下壁部３２ｂの内面に、底板部３１の外縁に沿うように帯状の光源ユニット３３を設けた。このため、セル用開口２２ｃから見える形で鑑賞用フレーム２０に保持されているフィルムセル２７ｃの背面に光源３３ａの光をあてることができる。これにより、フィルムセル２７ｃを見やすくすることができる。さらに、収容スペースＳのうち写真２７ａの背面側のスペースに駆動ユニット３４を設けた。このため、照明装置３０において駆動ユニット３４を設けるためのスペースを別途確保する必要がない。これにより、照明装置３０をコンパクトにできる。
【００６８】
このように本実施形態に係る照明装置付き鑑賞用フレーム１０によれば、鑑賞用フレーム２０に保持されているフィルムセル２７ｃを見やすくしつつ、照明装置付き鑑賞用フレーム１０をコンパクトにすることができる。
【００６９】
鑑賞用フレーム２０の正面視において、光透過性を有さない中間部材２２の外縁付近に沿って形成された非透過領域に光源ユニット３３が隠れるように周壁部３２を形成した。このため、フィルムセル２７ｃの背面にあたる光源３３ａの光が強くなりすぎることを防止でき、フィルムセル２７ｃをきれいに見せることができる。
【００７０】
中間部材２２の中央部において写真２７ａが保持されている領域の背面側のスペースと、中間部材２２の下枠部２５ｂ寄りにおいて台紙２７ｂが保持されている領域の背面側のスペースとに電源配線３９を設けた。また、中間部材２２の中央部において写真２７ａが保持されている領域の背面側のスペースにスイッチ用配線４１を設けた。このため、照明装置付き鑑賞用フレーム１０の正面視において、電源配線３９及びスイッチ用配線４１が見えるのを回避でき、鑑賞用フレーム２０の意匠性が損なわれるのを回避できる。
【００７１】
収容凹部２６の深さ寸法Ｌを、正面部材２１、中間部材２２、背面部材２３及び光拡散部材２４のそれぞれの厚さ寸法の合計値よりも大きく設定した。そして、下枠部２５ｂの背面側を当接部３７に当接させた状態において、周壁部３２の底板部３１と反対側の先端部が収容凹部２６に収容されるように周壁部３２を形成した。このため、光源３３ａからの光が筐体外部に漏れるのを抑制でき、フィルムセル２７ｃの背面に光を十分あてることができる。これにより、フィルムセル２７ｃをより見やすくすることができる。
【００７２】
上壁部３２ａを上枠部２５ａに蝶番３６によって取り付ける縦開き構成とした。このため、蝶番３６の回転軸３６ｃを支点として照明装置３０に対して鑑賞用フレーム２０を回動させることができる。これにより、例えば、駆動ユニット３４のバッテリの充電作業を行うことができる。さらに、下壁部３２ｂに当接部３７を形成し、下枠部２５ｂの背面側が当接部３７に当接した状態において、周壁部３２の底板部３１とは反対側の先端部が背面部材２３に当接しないようにした。これにより、周壁部３２から背面部材２３に力が加わることを防止でき、背面部材２３の変形を防止することができる。
【００７３】
上壁部３２ａに放熱孔３５を形成した。これにより、例えばフィルムセル２７ｃや写真２７ａの劣化を防止することができる。
【００７４】
光源３３ａを点灯させるための各種回路とバッテリとをユニット化した駆動ユニット３４を、フック部３８に引っ掛けることにより底板部３１に取り付けた。このため、電源配線３９及びスイッチ用配線４１を駆動ユニット３４から取り外すことにより、バッテリの交換等を容易に行うことができる。
【００７５】
（第２実施形態）
以下、第２実施形態について、図７及び図８を用いて上記第１実施形態との相違点を中心に図面を参照しつつ説明する。なお、図７及び図８において、先の図１〜図６に示した部材と同一の部材については、便宜上、同一の符号を付している。また、図７は、先の図５に示したＡ−Ａ線断面図に相当するものである。
【００７６】
本実施形態では、光源ユニット４３が、駆動ユニット３４の側壁面の周囲を取り囲むように、駆動ユニット３４の側壁面のうちフック部３８の当接箇所以外に設けられている。具体的には、駆動ユニット３４の側壁面のうち、上壁部３２ａ、右壁部３２ｃ及び左壁部３２ｄのそれぞれの内面に対向する側壁面に光源ユニット４３が粘着テープ等で取り付けられている。なお、本実施形態に係る光源ユニット４３の構成は、上記第１実施形態の光源ユニット３３の構成と同様である。
【００７７】
本実施形態では、底板部３１の内面に加えて、上壁部３２ａ、下壁部３２ｂ、右壁部３２ｃ及び左壁部３２ｄのそれぞれの内面にも光反射層４４が設けられている。光反射層４４は、光源４３ａから照射された光をフィルムセル２７ｃ側に反射させ、フィルムセル２７ｃを見やすくするために設けられている。なお、上壁部３２ａの内面に設けられた光反射層４４には、放熱孔３５を塞がないように開口が形成されている。
【００７８】
光源ユニット４３は、対向する周壁部３２の内面に向かう方向を光源４３ａからの光照射方向とするように設けられている。また、光源ユニット３３は、照明装置付き鑑賞用フレーム１０の正面視において、写真２７ａの背面に隠れるように設けられている。
【００７９】
以上説明した本実施形態によれば、上記第１実施形態の効果に加えて、以下の効果を奏することができる。
【００８０】
駆動ユニット３４の側壁部に光源ユニット４３を設けた。このため、駆動ユニット３４と光源ユニット４３とを電気的に接続する電源配線を備える必要がない。これにより、照明装置３０の構成を簡素にすることができる。また、光源ユニット４３と駆動ユニット３４とをまとめたユニットとして扱うことができるため、照明装置付き鑑賞用フレーム１０の製造時における各ユニット３４，４３の組み付け作業性を向上することもできる。
【００８１】
駆動ユニット３４の側壁面を取り囲むようにこの側壁面に沿って光源ユニット４３を設けた。このため、光源ユニットを周壁部３２の内面に沿って設ける上記第１実施形態と比較して、光源ユニット４３の全長を短くすることができる。
【００８２】
上壁部３２ａ、下壁部３２ｂ、右壁部３２ｃ及び左壁部３２ｄのそれぞれの内面に光反射層４４を設けた。このため、光拡散部材２４を効果的に照らすことができ、光源ユニット４３の全長を短くすることができる。これにより、照明装置付き鑑賞用フレーム１０のコストを低下させることができる。
【００８３】
（第３実施形態）
以下、第３実施形態について、図９及び図１０を用いて上記第１実施形態との相違点を中心に図面を参照しつつ説明する。なお、図９及び図１０において、先の図１〜図６に示した部材と同一の部材については、便宜上、同一の符号を付している。また、図１０は、先の図６に示したＢ−Ｂ線断面図に相当するものである。
【００８４】
本実施形態では、図９に示すように、中間部材４５に形成される各開口の配置態様を変更している。これに伴い、図１０に示すように、第１〜第４光源ユニット４６〜４９及び駆動ユニット５０の配置態様を変更している。
【００８５】
図９に示すように、中間部材４５には、その外縁から離間した部分に複数の開口が形成されている。詳しくは、中間部材４５には、上枠部２５ａに沿って複数（図中、３個を例示）の写真用開口４５ａが形成されている。中間部材４５と背面部材２３との間には、写真用開口４５ａから写真が見える形で写真が挟まれている。また、中間部材４５には、下枠部２５ｂに沿って複数（図中、５個を例示）のセル用開口４５ｂが形成されている。中間部材４５と背面部材２３との間には、セル用開口４５ｂからフィルムセルが見える形でフィルムセルが挟まれている。なお、図１０には、照明装置付き鑑賞用フレーム１０の正面視において、写真用開口４５ａ及びセル用開口４５ｂのそれぞれを底板部３１に投影したものを２点鎖線にて示している。
【００８６】
図１０に示すように、駆動ユニット５０は、照明装置付き鑑賞用フレーム１０の正面視において、底板部３１のうち、写真用開口４５ａを含む非透過領域を投影した領域に取り付けられている。駆動ユニット５０は、駆動取付部としてのフック部５１に引っ掛けられることにより底板部３１に取り付けられている。
【００８７】
左壁部３２ｄには、電源スイッチ５２が設けられている。電源スイッチ５２と駆動ユニット５０とは、スイッチ用配線５３によって電気的に接続されている。スイッチ用配線５３は、駆動ユニット５０と着脱可能とされている。スイッチ用配線５３は、底板部３１において、写真用開口４５ａを含む非透過領域の背面領域に設けられている。なお、本実施形態に係る駆動ユニット５０の構成は、上記第１実施形態に係る駆動ユニット３４の構成と同様である。
【００８８】
収容スペースＳには、第１〜第４光源ユニット４６〜４９が設けられている。本実施形態に係る第１〜第４光源ユニット４６〜４９の構成は、上記第１実施形態に係る光源ユニット３３の構成と同様である。
【００８９】
第１光源ユニット４６は、駆動ユニット５０の側壁部のうち下壁部３２ｂの内面と対向する側壁部のうち、２つのフック部５１の間に設けられている。第１光源ユニット４６の第１端には、駆動ユニット５０が電気的に接続されている。第１光源ユニット４６は、３つの写真用開口４５ａのうち中央及び右壁部３２ｃ側の写真用開口４５ａの背面領域に設けられている。また、第１光源ユニット４６は、対向する下壁部３２ｂの内面に向かう方向を第１光源４６ａからの光照射方向とするように設けられている。
【００９０】
第１光源ユニット４６の第２端には、第２光源ユニット４７の第１端が電気的に接続されている。第２光源ユニット４７は、底板部３１に設けられている。詳しくは、第２光源ユニット４７は、底板部３１において、３つの写真用開口４５ａのうち右壁部３２ｃ側の写真用開口４５ａの背面領域に設けられている。第２光源ユニット４７は、対向する光拡散部材２４に向かう方向を第２光源４７ａからの光照射方向とするように設けられている。ただし、第２光源ユニット４７と対向する光拡散部材２４の裏面は、中間部材４５の非透過領域と対向している。このため、第２光源ユニット４７は、セル用開口４５ｂからは見えないようになっている。
【００９１】
第２光源ユニット４７の第２端には、第３光源ユニット４８の第１端が電気的に接続されている。第３光源ユニット４８は、右壁部３２ｃ、下壁部３２ｂ及び左壁部３２ｄの内面に連続して設けられている。第３光源ユニット４８は、照明装置付き鑑賞用フレーム１０の正面視において、中間部材４５の外縁付近の非透過領域に隠れるように設けられている。また、第３光源ユニット４８は、対向する周壁部３２の内面に向かう方向を第３光源４８ａからの光照射方向とするように設けられている。
【００９２】
第３光源ユニット４８の第２端には、第４光源ユニット４９の一端が電気的に接続されている。第４光源ユニット４９は、底板部３１に設けられている。詳しくは、第４光源ユニット４９は、底板部３１において、３つの写真用開口４５ａのうち左壁部３２ｄ側の写真用開口４５ａの背面領域に設けられている。第４光源ユニット４９は、対向する光拡散部材２４に向かう方向を第４光源４９ａからの光照射方向とするように設けられている。
【００９３】
上述した構成において、電源スイッチ５２がオンされる。これにより、駆動ユニット５０のバッテリから、第１光源４６ａ、第２光源４７ａ、第３光源４８ａ及び第４光源４９ａに電力が順次供給され、第１光源４６ａ、第２光源４７ａ、第３光源４８ａ及び第４光源４９ａが点灯する。
【００９４】
（第４実施形態）
以下、第４実施形態について、図１１〜図１４を用いて上記第１実施形態との相違点を中心に図面を参照しつつ説明する。なお、図１１〜図１４において、先の図１〜図６に示した部材と同一の部材については、便宜上、同一の符号を付している。また、図１２は、先の図５に示したＡ−Ａ線断面図に相当するものである。
【００９５】
図１１及び図１２に示すように、収容凹部２６を形成する枠部材２５の内壁部は、枠部材２５の厚さ方向に延びるものである。上記内壁部には、長尺板状の保持部６０が取り付けられている。具体的には、保持部６０は、枠部材２５の内壁部に挿し込まれている。本実施形態では、枠部材２５の４つの内壁部のそれぞれに、板面を底板部３１に対向させた状態で保持部６０が複数（図１１には２つを例示）取り付けられている。保持部６０は、その板面を背面部材２３の板面に当接させている。これにより、正面部材２１、中間部材２２及び背面部材２３は、収容凹部２６に収容された状態で枠部材２５に取り付けられている。保持部６０は、例えば、鉄やアルミニウム等の金属材料により形成されている。
【００９６】
図１２及び図１４に示すように、本実施形態では、周壁部３２のうち下壁部３２ｂに当接部３７が形成されていない。このため、図１２に示すように、周壁部３２の底板部３１とは反対側の先端部が保持部６０に当接するようになっている。これにより、周壁部３２の先端から背面部材２３に力が直接作用することを防止でき、背面部材２３等の変形を防止できる。なお、図１４では、光源ユニット等の図示を省略している。
【００９７】
筐体には、複数の光源６１ａを有する光源ユニット６１が内蔵されている。本実施形態に係る光源ユニット６１の構成は、上記第１実施形態に係る光源ユニット３３の構成と同様である。
【００９８】
筐体には、さらに駆動ユニット６２が内蔵されている。駆動ユニット６２は、光源６１ａの電源となるバッテリと、光源６１ａを点灯させるための各種回路とを有している。駆動ユニット６２は、照明装置付き鑑賞用フレーム１０の正面視において、底板部３１のうち、写真用開口２２ａを投影した領域を含む非透過領域に設けられている。本実施形態において、駆動ユニット６２は、底板部３１に粘着テープ等で取り付けられた有底箱状の駆動取付部としての収容部６３に収容されることにより、底板部３１に設けられている。
【００９９】
収容部６３を構成する収容周壁部のうち底板部３１に取り付けられる収容周壁部は、底板部３１の中央部に取り付けられている。これにより、駆動ユニット６２が収容部６３に収容された状態において、駆動ユニット６２の重心を底板部３１の中央付近とすることができる。その結果、照明装置付き鑑賞用フレーム１０を安定して壁に掛けることができる。また、収容部６３を構成する収容周壁部のうち、底板部３１に取り付けられた収容周壁部と対向する収容周壁部には、切り欠き６３ａが形成されている。切り欠き６３ａにより、駆動ユニット６２に設けられたバッテリ残量を示す表示灯６２ａが視認可能とされている。
【０１００】
下壁部３２ｂには、電源スイッチ６４が設けられている。電源スイッチ６４と駆動ユニット６２とは、スイッチ用配線６５によって電気的に接続されている。スイッチ用配線６５は、例えば駆動ユニット６２側がＵＳＢ接続端子とされることにより、駆動ユニット６２に着脱可能とされている。スイッチ用配線６５は、底板部３１において、写真用開口２２ａ及びタイトル用開口２２ｂを含む非透過領域の背面領域に設けられている。
【０１０１】
電源スイッチ６４と光源ユニット６１の長さ方向の端部とは、電源配線６６によって電気的に接続されている。電源配線６６は、底板部３１において、写真用開口２２ａ及びタイトル用開口２２ｂを含む非透過領域の背面領域に設けられている。
【０１０２】
底板部３１の内面には、図１２に示すように、光源６１ａの光を反射させる光反射層６７が設けられている。本実施形態では、光反射層６７として白色のシートが用いられており、その白色のシートが底板部３１の全面に張り付けられている。なお、図１２に示す光反射層６７については、便宜上、厚さ寸法を大きめに記載している。ちなみに本実施形態では、収容部６３も、その外面が光を反射させやすい素材にて形成されている。具体的には、収容部６３は、白色の合成樹脂（例えばアクリル樹脂）にて構成されている。
【０１０３】
なお、照明装置付き鑑賞用フレーム１０は、壁に掛けて飾るだけではなく、水平面に立てかけて飾ることもできる。図１３及び図１５に示すように、底板部３１には、照明装置付き鑑賞用フレーム１０を水平面に立てかけて飾るための支持部６８を取り付ける取付孔６９が形成されている。なお、図１５には、支持部６８として、金属（例えばスチール）にて形成されたＬ字状のものを示した。
【０１０４】
また、図１３及び図１４に示すように、筐体を構成する周壁部３２（具体的には、右壁部３２ｃ）には、周壁部３２の壁高さ方向において周壁部３２の底板部３１とは反対側の先端から延びる切り欠き７０が形成されている。切り欠き７０により、図１６に示すように、スイッチ用配線６５の一端側を筐体の外部に出すことができ、スイッチ用配線６５の一端側をコンセントを介して外部電源（商用電源）に接続することができる。これにより、駆動ユニット６２のバッテリに代えて、外部電源を光源ユニット６１の電源とすることができる。
【０１０５】
（第５実施形態）
以下、第５実施形態について、図１７〜図１９を用いて上記第３実施形態との相違点を中心に図面を参照しつつ説明する。なお、図１７〜図１９において、先の図９及び図１０に示した部材と同一の部材については、便宜上、同一の符号を付している。また、図１９は、先の図６に示したＢ−Ｂ線断面図に相当するものである。
【０１０６】
本実施形態では、図１７に示すように、中間部材４５に形成される各開口の配置態様を変更している。
【０１０７】
図１７に示すように、中間部材４５には、その外縁から離間した部分に複数の開口が形成されている。詳しくは、中間部材４５には、上枠部２５ａに沿って複数（図中、３個を例示）の写真用開口８０ａが形成されている。中間部材４５と背面部材２３との間には、写真用開口８０ａから写真が見える形で写真が挟まれている。また、中間部材４５には、各写真用開口８０ａに対応する位置に、複数（図中、１８個を例示）のセル用開口８０ｂが形成されている。中間部材４５と背面部材２３との間には、セル用開口８０ｂからフィルムセルが見える形でフィルムセルが挟まれている。
【０１０８】
図１８に示すように、収容凹部２６を形成する枠部材２５の内壁部には、長尺板状の保持部８１が取り付けられている。保持部８１の板面は、背面部材２３の板面に当接している。これにより、正面部材２１、中間部材２２及び背面部材２３は、収容凹部２６に収容された状態で枠部材２５に取り付けられている。
【０１０９】
ちなみに本実施形態では、上記第４実施形態と同様に、周壁部３２のうち下壁部３２ｂに当接部３７が形成されていない。このため、周壁部３２の底板部３１とは反対側の先端部が保持部８１に当接するようになっている。
【０１１０】
図１８に示すように、光拡散部材８２は、全てのセル用開口８０ｂを覆うように、背面部材２３の背面側の領域のうち一部の領域に取り付けられている。なお、図１９には、照明装置付き鑑賞用フレーム１０の正面視において、写真用開口８０ａ及び光拡散部材８２のそれぞれを底板部３１に投影したものを２点鎖線にて示している。
【０１１１】
図１９に示すように、底板部３１には、筐体の収容スペースＳのうち、セル用開口８０ｂの背面側のスペースを含むスペースと、それ以外のスペースとを２分するように仕切壁部８３が設けられている。本実施形態において、仕切壁部８３は、その壁高さが周壁部３２の壁高さと同じであり、上壁部３２ａが延びる方向に延びる形状をなしている。仕切壁部８３の長手方向の両端のうち右壁部３２ｃ側の端部と右壁部３２ｃの内面との間には隙間が形成されている。仕切壁部８３は、その外面が光を反射させやすい素材にて形成されている。具体的には、仕切壁部８３は、白色の合成樹脂（例えばアクリル樹脂）にて構成されている。
【０１１２】
なお、底板部３１のうち仕切壁部８３よりも下壁部３２ｂ側の領域全面には、上記第４実施形態と同様の光反射層が設けられている。ちなみに、周壁部３２の内面のうち仕切壁部８３よりも下壁部３２ｂ側の内面に光反射層を設けてもよい。
【０１１３】
筐体には、複数の光源８４ａを有する光源ユニット８４が内蔵されている。本実施形態に係る光源ユニット８４の構成は、上記第１実施形態に係る光源ユニットの構成と同様である。
【０１１４】
光源ユニット８４は、右壁部３２ｃのうち仕切壁部８３よりも下壁部３２ｂ側の部分、下壁部３２ｂ、右壁部３２ｃのうち仕切壁部８３よりも下壁部３２ｂ側の部分、及び仕切壁部８３のうち下壁部３２ｂと対向する部分のそれぞれの内面に連続して設けられている。具体的には、各内面において、壁高さ方向の底板部３１寄りに光源ユニット８４が設けられている。
【０１１５】
筐体には、さらに駆動ユニット８５が内蔵されている。駆動ユニット８５は、照明装置付き鑑賞用フレーム１０の正面視において、底板部３１のうち、写真用開口８０ａを投影した領域に取り付けられている。本実施形態において、駆動ユニット８５は、上記第４実施形態と同様の収容部８６に収容されることにより、底板部３１に取り付けられている。
【０１１６】
右壁部３２ｃのうち仕切壁部８３よりも上壁部３２ａ側には、電源スイッチ８７が設けられている。電源スイッチ８７と駆動ユニット８５とは、スイッチ用配線８８によって電気的に接続されている。スイッチ用配線８８は、例えば駆動ユニット８５側がＵＳＢ接続端子とされることにより、駆動ユニット８５に着脱可能とされている。
【０１１７】
電源スイッチ８７と光源ユニット８４の長さ方向の端部とは、仕切壁部８３の端部と右壁部３２ｃとの間の隙間を通る電源配線８９によって電気的に接続されている。
【０１１８】
なお、筐体を構成する周壁部３２（具体的には右壁部３２ｃ）には、右壁部３２ｃの壁高さ方向において右壁部３２ｃの底板部３１とは反対側の先端から延びる切り欠き９０が形成されている。図１９には、右壁部３２ｃのうち仕切壁部８３よりも上壁部３２ａ側に切り欠き９０を形成する例を示した。切り欠き９０により、スイッチ用配線８８の一端側を筐体の外部に出すことができ、上記第４実施形態で説明したように、スイッチ用配線８８の一端側を外部電源（商用電源）に接続することができる。
【０１１９】
なお、切り欠き９０の形成位置は、図１９に示した位置に限らず、例えば、右壁部３２ｃのうち仕切壁部８３よりも下壁部３２ｂ側であってもよい。
【０１２０】
（その他の実施形態）
・蝶番の設置個所としては、上記第１実施形態に例示したものに限らない。例えば、右壁部３２ｃに、右壁部３２ｃを右枠部２５ｃに取り付けるための蝶番を設けてもよい。この場合、左壁部３２ｄに、その外面から外側に突出してかつ左枠部２５ｄが当接する当接部を形成すればよい。
【０１２１】
・上記第１実施形態において、底板部３１及び周壁部３２によって形成された筐体の開口を覆うように、周壁部３２の底板部３１とは反対側の端部に光拡散部材を取り付けてもよい。この場合、光拡散部材の一対の板面のうち底板部３１に対向する側の板面であってかつ、非透過領域の背面側に駆動ユニットを取り付けてもよい。
【０１２２】
・枠部材の形状としては、矩形形状に限らず、例えば円形状であってもよい。この場合、正面部材、中間部材、背面部材及び光拡散部材も円形状とすればよい。
【０１２３】
・上記第１実施形態において、背面部材２３に光拡散部材２４の機能を持たせるべく、背面部材２３を乳白色のものにしてもよい。この場合、鑑賞用フレーム２０から光拡散部材２４を除くことができる。
【０１２４】
・光源ユニットとしては、可撓性基板を備える可撓性のものに限らず、リジッド基板を備えるものであってもよい。
【０１２５】
・駆動ユニットは、フック部に限らず、ビス等の他の取付部によって底板部３１に取り付けられていてもよい。
【０１２６】
・上記第３実施形態において、駆動ユニット５０に第１光源ユニット４６を設けず、駆動ユニット５０の下壁部３２ｂと対向する側壁部に光反射層を設けてもよい。
【０１２７】
・上記各実施形態において、底板部３１に電源配線を通すための配線孔を形成し、配線孔に電源配線を通すことにより、電源配線を外部電源に接続してもよい。
【０１２８】
・上記第２実施形態（図７及び図８参照）において、周壁部３２及び底板部３１として合成樹脂（例えばアクリル樹脂）で形成された乳白色のものを用いるとともに、光反射層４２，４４を除去してもよい。この場合、照明装置付き鑑賞用フレーム１０を部屋の壁面に掛けることにより、周壁部３２を透過した光源４３ａの光で部屋の壁面を照らすことができる。ここでは、鑑賞用フレーム２０の正面視において、周壁部３２が鑑賞用フレーム２０の内側に隠れているため、周壁部３２を透過した光源４３ａの光によって間接照明効果を得ることができる。さらに、底板部３１の両面のうち収容スペースＳとは反対側の面に、この面を覆ってかつ光透過性を有さない板状部材（例えば、合成樹脂で形成された黒色のプレート）を粘着テープ等により取り付けることで、光源４３ａの光が底板部３１側から照明装置付き鑑賞用フレーム１０の外部に漏れるのを回避できる。これにより、フィルムセル２７ｃの背面に光を十分あててフィルムセル２７ｃをより見やすくしたり、間接照明効果を大きくしたりすることができる。
【０１２９】
また、周壁部３２を乳白色のものとすることにより、収容スペースＳ内に配置された駆動ユニット３４等の部材が外部から透けない。このため、照明装置付き鑑賞用フレーム１０の意匠性を高めることができる。
【０１３０】
なお、周壁部３２を乳白色のものとする構成において、底板部３１が光透過性を有さないようにする構成としては、底板部３１に黒色のプレートを設ける構成に代えて、底板部３１の両面のうち収容スペースＳ側の面に、この面を覆う光反射層４２を設ける構成であってもよい。
【０１３１】
また、周壁部３２を乳白色のものとする構成において、駆動ユニット３４の側壁面に光源ユニット４３を取り付ける構成に代えて、以下の構成を採用することもできる。矩形枠形状をなしてかつ内部に駆動ユニット３４を収容可能な部材をユニット取付部とする。ユニット取付部は、底板部３１に粘着テープ等で取り付けられる。この構成において、ユニット取付部の側壁面の周囲を取り囲むように光源ユニット４３を取り付けてもよい。
【０１３２】
・上記各実施形態において、光拡散部材に代えて、厚さが光拡散部材よりも薄い光拡散機能を有するシート（光拡散層）を用いてもよい。この場合、光拡散性を維持しつつ、光を通しやすくでき、フィルムセル２７ｃにより光をあてることができる。その結果、フィルムセル２７ｃをより見やすくできる。
【０１３３】
・上記各実施形態において、スイッチ用配線や電源配線は、収容スペースＳのうちセル用開口（光透過領域）の背面側のスペースに設けられていてもよい。この場合であっても、スイッチ用配線や電源配線と、光透過領域との間に光拡散部材が設けられていることにより、照明装置付き鑑賞用フレーム１０の正面から各配線は見えない又は見えにくくなる。したがって、照明装置付き鑑賞用フレーム１０の意匠性が損なわれるのを回避できる。
【０１３４】
・鑑賞用フレーム２０としては、横長のものに限らず、縦長のものであってもよい。
【符号の説明】
【０１３５】
１０…照明装置付き鑑賞用フレーム、２０…鑑賞用フレーム、２１…正面部材、２２…中間部材、２３…背面部材、２５…枠部材、３０…照明装置、３１…底板部、３２…周壁部、３３…光源ユニット、３４…駆動ユニット。
【図１】
2017046967.tif 000003
【図２】
2017046967.tif 000004
【図３】
2017046967.tif 000005
【図４】
2017046967.tif 000006
【図５】
2017046967.tif 000007
【図６】
2017046967.tif 000008
【図７】
2017046967.tif 000009
【図８】
2017046967.tif 000010
【図９】
2017046967.tif 000011
【図１０】
2017046967.tif 000012
【図１１】
2017046967.tif 000013
【図１２】
2017046967.tif 000014
【図１３】
2017046967.tif 000015
【図１４】
2017046967.tif 000016
【図１５】
2017046967.tif 000017
【図１６】
2017046967.tif 000018
【図１７】
2017046967.tif 000019
【図１８】
2017046967.tif 000020
【図１９】
2017046967.tif 000021